【手続補正書】
【提出日】平成27年11月27日(2015.11.27)
【手続補正１】
【補正対象書類名】特許請求の範囲
【補正対象項目名】全文
【補正方法】変更
【補正の内容】
【特許請求の範囲】
【請求項１】
通信ネットワークの利用可能な帯域幅について異なる要件を有する少なくとも２つのトランスポートプロトコルを用いてコンテンツを取得する装置であって、前記コンテンツは少なくとも１つのサーバ上において異なるバージョンで利用可能であり、前記コンテンツの異なるバージョンは、異なる伝送ビットレートに対応し、前記通信ネットワークを介して伝送されるように適合されたチャンクに細分化され、前記装置は、コンテンツのバージョンおよびトランスポートプロトコルに従って、前記少なくとも１つのサーバに、少なくとも１つのチャンクの伝送を要求するように構成され、前記トランスポートプロトコルおよび前記バージョンは、前記通信ネットワークの前記利用可能な帯域幅の現在値に応じて選択可能である、前記装置。
【請求項２】
前記利用可能な帯域幅の前記現在値が第１の閾値よりも大きい場合に、第１のトランスポートプロトコルが要求され、前記利用可能な帯域幅の前記現在値が前記第１の閾値よりも小さい場合に、第２のトランスポートプロトコルが要求される、請求項１に記載の装置。
【請求項３】
前記第１の閾値は、コンテンツの前記バージョンに応じたものである、請求項２に記載の装置。
【請求項４】
パケットロス率の現在値を分析するように構成され、並びに、第１の伝送ビットレートに対応するバージョンのチャンクの前記伝送について前記第２のトランスポートプロトコルが要求される場合、および前記パケットロス率の前記現在値が第２の閾値よりも大きい場合には、これと同一のチャンクではあるが、前記第１の伝送ビットレートよりも低い第２の伝送ビットレートに対応する別のバージョンのチャンクの前記伝送を要求するように構成された、請求項２または３に記載の装置。
【請求項５】
複数の連続したチャンクについて、トランスポートプロトコルに従って、あるバージョンの少なくとも１つのチャンクの前記伝送を連続して要求して、前記コンテンツを取得するように構成された、請求項２から４のいずれか一項に記載の装置。
【請求項６】
タイムスロット上の前記第１および第２のトランスポートプロトコルの使用の所定の配分に従って、さらに使用されなければならない前記トランスポートプロトコルを、それぞれのチャンクについて要求するように構成された、請求項２から５のいずれか一項に記載の装置。
【請求項７】
前記タイムスロットはスライドする、請求項６に記載の装置。
【請求項８】
前記タイムスロット上の前記第１および第２のトランスポートプロトコルの７５％／２５％の所定の配分を使用するように構成された、請求項６または７に記載の装置。
【請求項９】
あるバージョンのチャンクの前記伝送について前記第２のトランスポートプロトコルが要求されるとき、前記第１のトランスポートプロトコルを用いてこのバージョンのチャンクから受信されなかったデータパケットの再送の機構をトリガするように構成された、請求項２から８のいずれか一項に記載の装置。
【請求項１０】
前記再送のためのコンテンツサーバからのデータパケットの各再送を要求するように構成された、請求項９に記載の装置。
【請求項１１】
前記第１のトランスポートプロトコルはＴＣＰであり、前記第２のトランスポートプロトコルはＵＤＰである、請求項２から１０のいずれか一項に記載の装置。
【請求項１２】
前記第２のトランスポートプロトコルが要求される場合には、前記チャンクについて前記帯域幅の前記現在値に最も近い値を有する前記伝送ビットレートに対応する前記コンテンツのバージョンを要求するように構成された、請求項２から１１のいずれか一項に記載の装置。
【請求項１３】
取得しようとするコンテンツのバージョンに対応付けて記憶された記述ファイルであって、このコンテンツを取得するための前記トランスポートプロトコルを選択するために、それらの各伝送ビットレートを記述する前記記述ファイルを復元するように構成された、請求項２から１２のいずれか一項に記載の装置。
【請求項１４】
ストリーミングモードまたはダウンロードモードにおいて、コンテンツの前記伝送を得るように構成された、請求項２から１３のいずれか一項に記載の装置。
【請求項１５】
第１のコンテンツサーバに前記第１のトランスポートプロトコルを使用してコンテンツのあるバージョンの少なくとも１つの次のチャンクを伝送することを要求し、第２のコンテンツサーバに前記第２のトランスポートプロトコルを使用してコンテンツの次のバージョンの少なくとも１つのチャンクを伝送することを要求するように構成された、請求項２から１４のいずれか一項に記載の装置。
【請求項１６】
通信ネットワークの利用可能な帯域幅について異なる要件を有する少なくとも２つのトランスポートプロトコルを用いてコンテンツを取得する方法であって、前記コンテンツは少なくとも１つのサーバ上において異なるバージョンで利用可能であり、前記コンテンツの異なるバージョンは、異なる伝送ビットレートに対応し、前記通信ネットワークを介して伝送されるように適合されたチャンクに細分化され、前記方法は、コンテンツ取得装置によって実施される、コンテンツのバージョンおよびトランスポートプロトコルに従って、前記少なくとも１つのサーバに、少なくとも１つのチャンクの伝送を要求するステップであって、前記トランスポートプロトコルおよび前記バージョンは、前記通信ネットワークの前記利用可能な帯域幅の現在値に応じて選択可能である、ステップを含む、前記方法。
【手続補正２】
【補正対象書類名】明細書
【補正対象項目名】００５９
【補正方法】変更
【補正の内容】
【００５９】
本発明は、上述の単なる非限定的一例としてのみ提供された、コンテンツを取得および受信する装置の実施態様に限定されないが、以下の請求項の構成において当業者によって把握されうる全ての変形を含む。
（付記１）
ネットワークの利用可能な帯域幅について異なる要件を有する少なくとも２つのトランスポートプロトコルを用いてコンテンツを取得する装置（Ｄ）であって、前記コンテンツは少なくとも１つのサーバ（ＣＳ）上において異なるバージョンで利用可能であり、前記コンテンツの異なるバージョンは、異なる伝送ビットレートに対応し、通信ネットワーク（Ｎ）を介して伝送されるように適合されたチャンクに細分化され、前記装置は、
コンテンツのバージョンの少なくとも１つの要求された次のチャンクを前記装置に伝送するために、前記少なくとも１つのサーバによって所与の時間において使用されるべきトランスポートプロトコルを選択し、前記選択されたトランスポートプロトコルは、前記通信ネットワーク（Ｎ）の前記利用可能な帯域幅の現在値が厳密に第１の閾値よりも大きいときの第１のトランスポートプロトコル、または、前記利用可能な帯域幅の前記現在値が前記第１の閾値以下であるときの第２のトランスポートプロトコルを含み、
前記少なくとも１つのサーバに、前記選択されたトランスポートプロトコルを用いて、コンテンツのバージョンの少なくとも１つの要求される次のチャンクを伝送する要求を送信する、
ように構成された、前記装置。
（付記２）
コンテンツの要求されたバージョンに応じて、前記第１の閾値を選択するように構成された、付記１に記載の装置。
（付記３）
パケットロス率の現在値を分析し、第１の伝送ビットレートに対応するバージョンのチャンクの前記伝送について前記第２のトランスポートプロトコルを選択しているときに、前記パケットロス率の前記現在値が厳密に第２の閾値よりも大きいときには、これと同一のチャンクではあるが、前記第１の伝送ビットレートよりも低い第２の伝送ビットレートに対応する別のバージョンのチャンクの前記伝送を要求するように構成された、付記１または２に記載の装置。
（付記４）
取得するコンテンツの前記伝送の間の複数の所与の時間において、前記トランスポートプロトコルを選択し、前記少なくとも１つのサーバに要求を送信するように構成された、付記１から３のいずれか一項に記載の装置。
（付記５）
タイムスロット上の前記第１および第２のトランスポートプロトコルの前記使用の所定の配分に応じて、さらに使用されるべき前記トランスポートプロトコルを、それぞれの所与の時間において選択するように構成された、付記１から４のいずれか一項に記載の装置。
（付記６）
前記タイムスロットはスライドする、付記５に記載の装置。
（付記７）
前記タイムスロット上の前記第１および第２のトランスポートプロトコルの７５％／２５％の所定の配分を使用するように構成された、付記５または６に記載の装置。
（付記８）
バージョンのチャンクの前記伝送について前記第２のトランスポートプロトコルを選択したとき、前記第１のトランスポートプロトコルを用いてこのバージョンのチャンクから受信されなかったデータパケットの再送の機構をトリガするように構成された、付記１から７のいずれか一項に記載の装置。
（付記９）
前記再送のためのコンテンツサーバ（ＣＳ２）からデータパケットの各再送を要求するように構成された、付記８に記載の装置。
（付記１０）
前記第１のトランスポートプロトコルはＴＣＰであり、前記第２のトランスポートプロトコルはＵＤＰである、付記１から９のいずれか一項に記載の装置。
（付記１１）
所与の時間における前記第２のトランスポートプロトコルの前記選択の場合には、前記所与の時間において前記帯域幅の前記現在値に最も近い値を有する前記伝送ビットレートに対応する前記コンテンツのバージョンを選択するように構成された、付記１から１０のいずれか一項に記載の装置。
（付記１２）
取得しようとするコンテンツのバージョンに対応付けて記憶され、およびこのコンテンツを取得するためのトランスポートプロトコルの第１の選択を行うために、それらの各伝送ビットレートを表す、記述ファイルを復元するように構成された、付記１から１１のいずれか一項に記載の装置。
（付記１３）
ストリーミングモードまたはダウンロードモードにおいて、コンテンツの前記伝送を達成するように構成された、付記１から１２のいずれか一項に記載の装置。
（付記１４）
前記第１のトランスポートプロトコルを使用してコンテンツのバージョンの少なくとも１つの次のチャンクを伝送する第１のコンテンツサーバ（ＣＳ１）に要求を送信し、前記第２のトランスポートプロトコルを使用してコンテンツの次のバージョンの少なくとも１つのチャンクを伝送する第２のコンテンツサーバ（ＣＳ２）に第２の要求を送信するように構成された、付記１から１３のいずれか一項に記載の装置。
（付記１５）
ネットワークの利用可能な帯域幅について異なる要件を有する少なくとも２つのトランスポートプロトコルを用いてコンテンツを取得する方法であって、前記コンテンツは少なくとも１つのサーバ（ＣＳ）上において異なるバージョンで利用可能であり、前記コンテンツの異なるバージョンは、異なる伝送ビットレートに対応し、通信ネットワーク（Ｎ）を介して伝送されるように適合されたチャンクに細分化され、前記方法は、コンテンツ取得装置（Ｄ）によって実施される、
コンテンツのバージョンの少なくとも１つの要求された次のチャンクを前記コンテンツ取得装置に伝送するために、前記少なくとも１つのサーバによって所与の時間において使用されるべきトランスポートプロトコルを選択するステップであって、前記選択されたトランスポートプロトコルは、前記通信ネットワーク（Ｎ）の前記利用可能な帯域幅の現在値が厳密に第１の閾値よりも大きいときの第１のトランスポートプロトコル、または、前記利用可能な帯域幅の前記現在値が前記第１の閾値以下であるときの第２のトランスポートプロトコルを含む、ステップと、
前記少なくとも１つのサーバに、前記選択されたトランスポートプロトコルを用いて、コンテンツのバージョンの少なくとも１つの要求される次のチャンクを伝送する要求を送信するステップと、
を含む、前記方法。